(57)【要約】  モバイル装置のアプリケーションを用いて、化粧用下地をユーザーの肌の色合いにマッチさせるためのシステム。システムは、キャプチャされた画像からユーザーの肌の色合いを解析し、肌の色合いにマッチし、且つ欠点や傷を目立たないように隠すシェードを決定する。システムは、キャプチャされた画像が肌の色合いを解析するのに役立つように、ユーザーに照明や衣服を指示する。システムは、ユーザーが家で、あるいは別の便利で、目立たず、プライベートな場所で、画像をキャプチャできるアプリを使用する。システムは、選択的にクーポンを提供して、ユーザーが市販のマッチしたシェードを入手できるようにし、あるいは受注生産されたマッチしたシェードをユーザーが注文できるようにする。システムは、アプリに関連付けられた化粧用下地の複数の供給元のために、注文及びクーポンの履行を追跡する。
2017511929.tif 000002
【特許請求の範囲】
【請求項１】
モバイル装置を用いて、化粧用下地をユーザーの肌の色合いにマッチさせる方法であって、前記モバイル装置は肌を有する前記ユーザーの画像をキャプチャするためのカメラを有し、前記肌は前記化粧用下地でカバーするための複数の領域を有し、前記画像は前記肌の色合いを前記化粧用下地にマッチさせることに使用され、前記モバイル装置はカラーマッチングプログラムを有するアプリを有し、前記方法は、
ユーザーが、前記モバイル装置のカメラで条件を満たす画像をキャプチャするように、複数の画像をキャプチャすることを前記ユーザーに指示することと、
前記ユーザーの画像をキャプチャすることと、
前記画像を解析するカラーマッチングプログラムによって規定された、複数の数学的に定義された色の値で、前記キャプチャされた画像内の前記肌の色合いを規定することと、
インターネットを介してサーバー上のデータベースにアクセスすることによって、前記肌の色合いの数学的に定義された色の値を、化粧用下地の市販の銘柄の少なくとも一つのシェードにマッチさせることとを具備し、前記データベースは、複数のシェードに関連付けられた複数の数学的に定義された色の値を格納し、前記シェードは、複数の化粧用下地の市販の銘柄に関連付けられ、前記アプリは、前記肌の色合いの色の値を、前記シェードの色の値にマッチさせる、方法。
【請求項２】
複数の画像をキャプチャすることをユーザーに指示する前記ステップの前に、ユーザープロファイル情報を受信し、受け付けるステップをさらに具備する、請求項１記載の化粧用下地を肌の色合いにマッチさせる方法。
【請求項３】
販売用の化粧用下地の前記マッチしたシェードを有する地域の小売店があるかどうかを判定し、少なくとも一つの地域の小売店がある場合、前記肌の色合いの数学的に定義された色の値を、前記化粧用下地の市販の銘柄の少なくとも一つのシェードにマッチさせるステップの後に、前記販売用のマッチした化粧用下地を有する前記少なくとも一つの地域の小売店のリストを提供するステップをさらに具備する、請求項２記載の化粧用下地を肌の色合いにマッチさせる方法。
【請求項４】
前記化粧用下地の市販の銘柄のマッチしたシェードの購入のための割引を提供するステップをさらに具備し、それにより、販売用の化粧用下地の前記マッチしたシェードを有する地域の販売店があるかどうかを判定する前記ステップに後続して、参照を作成する、請求項３記載の化粧用下地を肌の色合いにマッチさせる方法。
【請求項５】
前記モバイル装置はスキャン可能なクーポンを表示する請求項４記載の化粧用下地を肌の色合いにマッチさせる方法。
【請求項６】
前記スキャン可能なクーポンを表示するステップの後、前記クーポンは参照を作成して履行され、前記モバイル装置は、前記参照を格納し、追跡するデータベースに履行を送信する、請求項５記載の化粧用下地をモバイル装置上で動作しているアプリを使用するユーザーの肌の色合いにマッチさせる方法。
【請求項７】
販売用の化粧用下地の前記マッチしたシェードを有する地域の小売店があるかどうかを判定し、前記少なくとも一つの地域の小売店のリストであって、空の集合を含むリストを提供するステップは、前記マッチした化粧用下地を注文するための機会を提供するウェブサイトであって、インターネットを介してアクセス可能なウェブサイトに前記ユーザーを案内するステップに直ちに後続される、請求項３記載の化粧用下地を肌の色合いにマッチさせる方法。
【請求項８】
前記ユーザーを、前記マッチした化粧用下地を注文する機会を提供するウェブサイトに案内し、前記ユーザーが前記化粧用下地を注文し、参照を作成するステップは、前記モバイル装置が、前記参照を格納し、追跡する前記データベースに前記参照を送信するステップに後続される、請求項７記載の化粧用下地を肌の色合いにマッチさせる方法。
【請求項９】
前記肌の色合いの数学的に定義された色の値を、前記市販の化粧用下地のシェードの数学的に定義された色の値にマッチさせることが、空の集合を生成するステップは、前記ユーザーの肌の色合いにマッチする、カスタマイズされた化粧用下地の開発のための美容製造所に注文を送信するステップに直ちに後続され、それにより参照を作成する、請求項１記載の化粧用下地を肌の色合いにマッチさせる方法。
【請求項１０】
美容製造所へ注文を送信する前記ステップは、前記モバイル装置が、前記参照を格納し、追跡する前記データベースに前記参照を送信するステップに後続される、請求項９記載のモバイル装置上で動作しているアプリを用いて、化粧用下地をユーザーの肌の色合いにマッチさせる方法。
【請求項１１】
肌を有するユーザーの画像をキャプチャするための画像キャプチャセッションを設定するためにモバイル装置上のアプリを使用する方法であって、前記肌は化粧用下地でカバーするために複数の領域を有し、前記画像は、モバイル装置上で動作している前記アプリを用いて、前記ユーザーの肌の色合いを化粧用下地にマッチさせることに用いられ、前記アプリはカラーマッチングプログラムを有し、前記モバイル装置は画像をキャプチャするためのカメラを有し、前記方法は、
背景及び照明が条件を満たしているかどうかを判定するために、複数の電球を備える中立な背景を準備することをユーザーに指示し、前記画像のために、条件を満たす白い布地を着用して肌の領域を洗浄することをユーザーにさらに指示することと、
前記背景及び照明が条件を満たしているかどうかを判定するために、前記背景及び照明のキャプチャされた画像を解析し、前記背景及び照明が条件を満たしていない場合、前記ユーザーに準備することをさらに指示することと、
前記モバイル装置のカメラを前にして、前記背景の前に配置された前記ユーザーの肌の領域の画像をキャプチャすることと、
前記アプリの前記カラーマッチングプログラムによって前記キャプチャされた画像を解析し、前記ユーザーの肌の領域の肌の色合いを規定する複数の数値であって、化粧用下地とマッチさせるための複数の数値を割り当てることとを含む、方法。
【請求項１２】
前記カラーマッチングプログラムが、前記ユーザーの肌の領域の肌の色合いを規定する数値を割り当てるステップは、前記カラーマッチングプログラムが前記画像内の数値をさらに解析し、前記画像内の数値の差を決定し、前記数値の差が予め設定された数学的なしきい値を超えるかをどうか判定するステップに後続される、請求項１１記載の前記モバイル装置を用いて前記化粧用下地を前記ユーザーの肌の色合いにマッチさせる方法。
【請求項１３】
前記数値の差が予め設定された数学的なしきい値を超えるかどうかを判定するステップは、均一な肌の色合いを有する肌の領域の追加の画像をキャプチャすることを前記ユーザーに指示するステップに後続される、請求項１２記載の前記モバイル装置を用いて前記化粧用下地を前記ユーザーの肌の色合いにマッチさせる方法。
【請求項１４】
化粧用下地をユーザーの肌の色合いにマッチさせるためのシステムであって、前記ユーザーは肌を有し、前記肌は化粧用下地によってカバーするための複数の領域を有し、前記システムは、
カメラを有するモバイル装置であって、前記カメラは前記ユーザーの肌の複数の画像をキャプチャし、前記モバイル装置は、肌の画像をキャプチャすることを前記ユーザーに指示するためのアプリを有し、前記アプリは、カラーマッチングプログラムを用いて、前記ユーザーの肌の画像を解析し、前記アプリは、前記肌を解析して前記画像内の前記肌の色合いを決定し、複数の数値の色の値を割り当て、前記モバイル装置はインターネットに接続する、モバイル装置と、
インターネットに接続されたサーバーであって、前記サーバーはデータベースを有し、前記データベースは化粧用下地の複数の市販の銘柄の複数のシェードに関する、複数の数値の色の値を格納し、前記サーバーは前記データベースを検索するためのデータベース管理システムを有し、前記データベース管理システムは、インターネットを介した通信において、前記モバイル装置から前記サーバーに送信された前記ユーザーの肌の色合いの数値の色の値にマッチする、化粧用下地の市販の銘柄のシェードの数値の色の値を求めて、前記データベースを検索する、サーバーとを具備するシステム。
【請求項１５】
前記データベースは、複数の地域の小売店と、各小売店に関連付けられた市販の銘柄とを含み、前記小売店は前記関連付けられた銘柄を販売し、前記データベース管理システムは、前記市販の化粧用下地の少なくとも一つのマッチしたシェードがあるかどうかを判定し、販売用の化粧用下地の前記マッチしたシェードを有する地域の小売店があるかどうかを判定し、少なくとも一つの地域の小売店がある場合、前記サーバーは、前記モバイル装置に、販売用の前記マッチした化粧用下地を有する、前記少なくとも一つの地域の小売店のリストを送信する、請求項１４記載の化粧用下地をユーザーの肌の色合いにマッチさせるためのシステム。
【請求項１６】
前記モバイル装置はディスプレイを有し、前記サーバーは、前記モバイル装置上に表示するためのスキャン可能なクーポンのためのコードをさらに送信し、それにより、前記ユーザーに、前記マッチしたシェードの割引を与える、請求項１５記載の化粧用下地をユーザーの肌の色合いにマッチさせるためのシステム。
【請求項１７】
前記モバイル装置は当該装置の位置を特定する全地球測位システムを有し、前記モバイル装置は、販売用の化粧用下地の前記マッチしたシェードを有する、前記位置の近くの地域の小売店があるかどうか判定するために、前記位置を送信する、請求項１５記載の化粧用下地をユーザーの肌の色合いにマッチさせるためのシステム。
【請求項１８】
前記モバイル装置は、画像をキャプチャするための複数の指示を前記ディスプレイ上に示す、請求項１７記載の化粧用下地をユーザーの肌の色合いにマッチさせるためのシステム。
【請求項１９】
前記モバイル装置は、前記画像をキャプチャするための指示を、聞こえるように言い表す音声合成装置を有する、請求項１８記載の化粧用下地をユーザーの肌の色合いにマッチさせるためのシステム。
【請求項２０】
前記モバイル装置への、販売用の前記マッチした化粧用下地を有する前記少なくとも一つの地域の小売店のリストが、空の集合である時、前記サーバーは、美容製造所への、化粧用下地の受注生産されるマッチしたシェードの注文を送信する、請求項１８記載の化粧用下地をユーザーの肌の色合いにマッチさせるためのシステム。
【発明の詳細な説明】
【技術分野】
【０００１】
本開示は、一般に、化粧用下地をユーザーの肌の色にマッチさせるためのシステムに関する。より詳しくは、本開示は、欠点又は傷を目立たないように隠し、ユーザーが入手することができる化粧用下地を、ユーザーの肌の色にマッチさせるモバイル装置のアプリケーションに関する。
【背景技術】
【０００２】
人々は、一般に、彼らの外見を向上させるために化粧をする。良く見えることは、癌のような重篤な医学的問題に対処する人々の間ですら、人を気分良くさせる。
【０００３】
特に女性は、肌の外見と色合いとを一様にするために、時にファンデーションと称される、着色された化粧用下地を顔に塗り、さらに、頬、目の領域、唇、及びあごに色を付ける。粉末の化粧品が使用される場合、ファンデーションは、粉末の化粧品の頻繁な付け直しが必要でないように、粉末が付着する表面を提供する。女性は、顔が「化粧された」、つまり濃く覆い隠す外見でなく、比較的自然に見えるように、下地をその肌の色合いに厳密にマッチさせることを好む。
【０００４】
男性と同様に女性も、傷跡、ポートワイン母斑のようなあざ、後悔された入れ墨、皮膚病、並びに気候、疾病及び加齢による肌の外見の変化を隠すために、しばしば化粧をし、あるいは隠す準備をする。これらの準備はカモフラージュ化粧品と呼ばれ、化粧用下地として使用される。
【０００５】
一般に、人が人工的な外見でなく、効果的に隠すカモフラージュ化粧品を必要とする場合に、特に根本的な肌の条件がある場合、皮膚科医への訪問が必要である。皮膚科医は、肌の色合いとあらゆる根本的な条件とを評価し、写真を撮って、マッチングのために受注生産の美容製造所に写真を送る。製造所は、写真への視覚的なマッチングに基づいて製品を準備する。ユーザーが製品の最初のバッチを試す時、それは、納得のいくものではなく、ことによると、新たな写真、医者への追加の訪問、及び納得のいく製品がない長い期間を必要とするかもしれない。そのプロセスは、高価で、時間を消費し、体の異なる領域から肌が見える状態が要求される場合、侵害的になり得る。
【０００６】
ユーザーがカモフラージュ化粧品を必要としないが、彼女の肌の色合いにマッチする着色された下地が欲しい場合、デパートか専門店の中のサロン又は化粧品カウンターへの外出が必要である。ユーザーは、しばしば失敗する、店の人工光の中で肌に下地をマッチさせること試みる。マッチングサービスは、一般に、高価な銘柄の化粧品だけで利用できる。販売員が肌に様々な製品を付ける間、顧客は誰にでも見える店の通路内に座るので、化粧品カウンターでの経験はしばしば怖気づくものである。店内では、しばしば、目障りな照明及びその人が着ている衣服がマッチングプロセスを歪め、結果として決して理想的でないマッチを生じさせる。ゆえに、ユーザーは、近いけれども十分に近くはない、着色された化粧用下地で満たされた化粧用バッグと引き出しとを所有することになる。試行錯誤によって化粧品を購入することは高価である。
【０００７】
多くの人が、ユーザーのデジタル画像を撮り、口紅とアイメイクのような追加の化粧を付け、美容整形の考えられる結果を表示し、衣装を選択する等の、仮想のメイクオーバーの様々な形態を提案している。
【０００８】
これらのユニットは、使用される特定の用途、あるいは一般的な使用に適しているかもしれないが、それらはこの後に示される本開示の用途ほどは適していないだろう。
【０００９】
知識の文書、行為もしくは項目が参照され又は議論される本開示において、この参照又は議論は、その知識の文書、行為もしくは項目、又はそれらの組み合わせが、優先日に公的に利用可能であり、公に知られ、共通の一般的な知識の一部その他が、適用可能な法定の条項の下で先行技術を構成すること、あるいは本開示が関係しているあらゆる問題を解決する試みに適切であると知られていることを認めるものではない。
【００１０】
従来技術のある態様が本開示を促進するために議論されているが、技術的態様を放棄するものではなく、特許請求の範囲がここに議論された一つ以上の従来技術の態様を包含し得るように意図される。
【００１１】
本開示は、前述の不利な点の少なくとも一つに取り組む。しかしながら、本開示は、多くの技術的な領域で他の問題及び欠陥に取り組むのに役立つと判明し得ることが意図される。したがって、特許請求の範囲は、上記に議論された特定の問題又は欠陥のいずれかに取り組むことに限定されるように、必ずしも解釈されるべきではない。上記の遂行のために、本開示は添付している図面内に例示された形態で実施され得る。しかしながら、図面は単なる例示であるという事実に注意すべきである。変形は本開示の一部であるものとして意図される。
【発明の概要】
【００１２】
本開示における例の実施形態の一態様は、肌の色合いを解析するために、ユーザーの画像を適切にキャプチャするためのシステムである。したがって、本開示の例の実施形態の一態様は、ユーザーの画像を適切にキャプチャするための、ユーザーへの指示のシステムであり、キャプチャされた画像が肌の色合いを解析するのに役立つように、照明及び衣服をユーザーに指示する。
【００１３】
本開示の例の実施形態のさらなる一態様は、便利で、目立たず、プライベートな方法で、肌の色合いを解析するために、ユーザーの画像をキャプチャするためのシステムである。したがって、本開示の例の実施形態の一態様は、モバイル装置上のアプリ（ａｐｐ）を使用するシステムであって、モバイル装置は、肌の色合いを解析するために適切な画像をキャプチャすることをユーザーに指示し、モバイル装置は、その画像を家で、あるいは別の便利で、目立たず、プライベートな場所でキャプチャする。
【００１４】
本開示の例の実施形態の別の態様は、化粧用下地にマッチさせるためにユーザーの肌の色合いを解析するためのシステムである。したがって、本開示の例の実施形態の一態様は、カラーマッチングプログラムを使用して、ユーザーのキャプチャされた画像を解析するシステムであって、化粧用下地の利用可能なマッチしたシェード（ｓｈａｄｅ）が存在するかどうかを判定し、入手のために上述のマッチしたシェードの調達先にユーザーを案内する。
【００１５】
本開示は、モバイル装置のアプリケーションを使用して、化粧用下地をユーザーの肌の色合いにマッチさせるためのシステムについて記述する。システムは、キャプチャされた画像からユーザーの肌の色合いを解析し、肌の色合いにマッチし、欠点又は傷を目立たないように隠すシェードを決定する。システムは、キャプチャされた画像が肌の色合いを解析するのに役立つように、照明と衣服とをユーザーに指示する。システムは、家で、あるいは別の便利で、目立たず、プライベートな場所で、ユーザーが画像をキャプチャすることを可能にするアプリを使用する。システムは、選択的にクーポンを提供して、ユーザーが、市販のマッチしたシェードを入手するか、受注生産されるマッチしたシェードを注文することを可能にする。システムは、アプリに関連付けられた化粧用下地の複数の供給元のために、注文及びクーポンの履行を追跡する。
【００１６】
本開示では、モバイルアプリ（又は、モバイルアプリケーション）という用語は、スマートフォン、タブレットコンピューター、及び現在利用可能な他のモバイル装置のようなモバイル装置上で動作するために設計されたソフトウェア・アプリケーションを指す。モバイルアプリは、モバイルオペレーティングシステムの所有者によって典型的には操作される、アプリケーション分配プラットフォームを介して利用できる。
【図面の簡単な説明】
【００１７】
図面において、同様の要素は同様の参照数字で描かれる。図面は以下のように概説される。
【図１】図１は、化粧用下地をユーザーの肌の色合いにマッチさせ、マッチした小売りの化粧用下地の製品を識別するためのモバイル装置のアプリを示すフローチャートである。
【図２】図２は、ユーザーの肌の色合いを解析し、マッチした小売りの化粧用下地の製品を識別するか、又は受注生産の化粧用下地の製品を注文するモバイル装置のアプリを示すフローチャートである。
【図３】図３は、解析又はマッチングのために、ユーザーに画像をキャプチャすることを指示するモバイル装置のアプリを詳細に示すフローチャートである。
【図４】図４は、解析又はマッチングのために、ユーザーに画像をキャプチャすることを指示するモバイル装置のアプリをより詳細に示すフローチャートである。
【図５】図５は、マッチした化粧用下地の調達の方法を選択するモバイル装置のアプリを示すフローチャートである。
【図６】図６は、化粧用下地マッチングシステムのブロック図である。
【図７】図７は、化粧用の下地マッチングシステムの概略図である。
【００１８】
本開示は、ここから、様々な例の実施形態を示す添付した図面を参照して、より十分に以下に記述されるであろう。しかしながら、本開示は、様々な形式で実施され得、ここに述べられた例の実施形態に限定されると解釈されるべきではない。むしろ、これらの例の実施形態は、本開示が、当業者に本開示の範囲を、徹底して、完全に、十分に伝えるように提供される。
【発明を実施するための形態】
【００１９】
図１は、モバイルアプリを使用するユーザーに、化粧用下地をマッチさせるためのシステム１００に関するフローチャートを例示する。ユーザーは、顔を備える体を有し、体は色合いを有する肌で覆われている。肌は複数の領域を有し、肌の色合いは顔及び体の様々な領域によって変化する。さらに、ユーザーは、彼又は彼女が隠すことを望む欠点又は傷を有することができ、その欠点は、周囲の肌の色合いとは異なる色を有している。カメラ機能が組み込まれたモバイル装置と、モバイル装置上で動作する、システムのモバイルアプリとを使用して、ユーザーは、ユーザーが化粧用下地を使用したい領域の肌の色合いに化粧用下地をマッチさせるための画像をキャプチャする。
【００２０】
ユーザーがモバイルアプリを選択し、モバイルアプリが始動する１０２。モバイルアプリは、ユーザープロファイル情報を要求し、受け付ける１１０。最初にユーザーは、限定されないが、例えば、ユーザー名、アカウント情報、位置、好みはもちろん、限定されないが、例えば、アレルギー、特別な肌の状態、何らかの薬品の治療、及び日焼け止めの使用のような適切な医療情報のような識別情報を含むシステムに、プロファイルを設定する。薬品が、肌をより乾燥させ、より敏感にし、より日焼けしやすくして、肌に影響する場合があるので、薬品の使用は特に重要である。プロファイルには、ユーザーが化粧用下地でカバーすることを望む肌の領域が含まれる。システムは最初にプロファイルを受け付け、ユーザーがモバイルアプリを選択し、ユーザー名を入力する場合はいつでも、アプリが、ユーザー名を受け付け、ユーザー名に関連付けられたユーザープロファイルをこのアプリにロードする。
【００２１】
アプリは、肌の色合いを正確に示すユーザーの肌の画像を正しくキャプチャする方法を、ユーザーに指示する１１２。ユーザーは、専門のスタジオの照明及び背景の助けなしに、家又は同様のプライベートな場所でシステムを使用している。システムは、複数の指示を表示して、照明、衣類及び背景についてユーザーに指示する。一実施形態では、モバイル装置は、指示を聞こえるように言い表す音声合成装置で可能になる。
【００２２】
アプリは、ユーザーがモバイル装置のカメラで撮影する画像をキャプチャし、メモリにその画像を格納する１１４。アプリは、画像がマッチングの条件を満たすがどうかを判定する１１６。画像が条件を満たさない場合、システムは、指示を繰り返すか、あるいは修正して、カラーマッチングの条件を満たす画像を提供するためにユーザーにさらに指示する１１２。
【００２３】
画像が条件を満たす場合、アプリは、カラーマッチングプログラムによって、キャプチャされた肌の色合いを解析し、その肌の色合いを化粧用下地にマッチさせる１１８。アプリは、複数の市販の化粧用下地の銘柄と、各銘柄で利用可能なシェードとを含むデータベースにアクセスする。データベースは、複数の数学的に定義された色の値を、各シェードに関連付ける。限定しない例であるＣＩＥＬＡＢ又はＲＧＢのような、数学的に定義された色の値のシステムは、当業者によく知られており、色の値は単純な数学的な変換によってシステム間で容易に変換される。
【００２４】
カラーマッチングプログラムは、キャプチャされた画像内の肌の色合いを解析し、肌の色合いを数学的に定義された色の値で規定し、その値をデータベースに格納された化粧用下地のシェードの色の値と同じシステムに変換する。システムは、肌の色合いの色の値の、化粧用下地のシェードの色の値への最も近いマッチを見つける。システムは、ユーザーの肌の色合いとマッチする化粧用下地の銘柄及びシェードを識別する。
【００２５】
システムは、複数の地域の小売店と、各小売店に関連付けられた市販の銘柄を含むデータベースであって、小売店がそれら関連付けられた銘柄を販売するデータベースを検索する１２０。一実施形態では、データベースはインターネットを介してアクセス可能なサーバー上にある。一実施形態では、ユーザーは、小売店が近くであるかどうかを判定するための距離をさらに規定して、地域の小売店を決定する検索のために現在の位置を入力する。さらなる実施形態では、アプリは、電話機及びそれに関連付けられたユーザーの現在の位置を決定するために、モバイル装置内の固有の全地球測位システムを使用する。システムは、販売用のマッチした化粧用下地のシェードを有する地域の小売店があるかどうかを判定し１２２、少なくとも一つの地域の小売店がある場合、販売用のマッチした化粧用下地を有する少なくとも一つの地域の小売店のリストを提供する。
【００２６】
少なくとも一つの地域の小売店に販売用のマッチした下地がある時、アプリは、マッチした化粧用下地の購入のための割引を提供する１２４。一実施形態では、スキャン可能なクーポンがモバイル装置に表示される。さらなる実施形態では、割引は、アルファベットと数字が組み合わせられたコード、ＱＲ（クイックレスポンス）コード、又はバーコードである限定されない例のようなコードである。さらなる例では、クーポンは、そのクーポンの紙のコピーを製造するプリンタに、電子的な手段によって直接的に又は間接的に送られる。
【００２７】
少なくとも一つの地域の小売店のリストが空の集合である場合、アプリは、マッチした化粧用下地を注文する機会を提供するウェブサイトであって、インターネットを介してアクセス可能なウェブサイトにユーザーを案内する１２６。システムは、化粧用下地を注文するコストを下げるために、ユーザーに割引コードをさらに提供する。システムによってユーザーに提供された割引は、システムを使用して、一人のユーザ又は複数のユーザーがどれくらいの頻度で化粧用下地を入手しているかをシステムが追跡することを可能にする。
【００２８】
一旦システムがマッチした化粧用下地の調達先にユーザーを案内すれば、システムは終了する１０４。
【００２９】
図２は、システムのさらなる実施形態のためのフローチャートを例示する。ユーザーは、ユーザー名又は初期プロファイルを入力して、システムを開始する１０２。上述したように、アプリはユーザーに画像のキャプチャを指示し１１２、ユーザーがモバイル装置のカメラで撮影する画像をキャプチャし、その画像をメモリに格納する１１４。
【００３０】
アプリは、領域毎にカラーマッチングプログラムによって、キャプチャされた肌の色合いを解析し、画像内に変化があるかどうかを判定する。カラーマッチングプログラムを使用して、各領域の肌の色合いに複数の色の値が割り当てられ、変化に関する数学的なしきい値が画像内の差異のために予め設定される。領域間の数値の色の値の差がしきい値を超える場合１３０、システムは、特定の方法で追加の画像をキャプチャするようにユーザーに指示する１３２。
【００３１】
変化のしきい値を超えることは、例えば、限定されないが、傷、傷跡、ポートワイン母斑のようなあざ、静脈瘤、クモ状静脈、後悔された入れ墨、皮膚病、並びに気候、疾病及び加齢による肌の外見の変化のような欠点があることを示す。ユーザーは、弱点、傷又は欠点をカモフラージュ化粧品で隠すことを望む。カモフラージュ化粧品は一つ以上の化粧用下地を要求することができる。第１の化粧用下地は、ユーザーのベースの肌の色合いにマッチする。第２の化粧用下地は、自然な外見を作り出すために色を隠すための技術として当業者によく知られている、減法のカラーモデル上で決定され、欠点に付けられた時、その欠点の色の変化を隠す。第２の化粧用下地は、欠点に付けられた時、ユーザーの肌の欠点の領域が、欠点のない隣接する領域のユーザーの肌の色合いにマッチして見えるという結果になる。
【００３２】
アプリは、第１の化粧用下地とマッチし、且つ欠点の領域を隠す第２の化粧用下地を規定するために画像を解析する１３４。アプリは、その化粧用下地の少なくとも一つに、市販の銘柄がマッチするかどうかを判定する１３６。少なくとも一つが市販の銘柄とマッチする場合、アプリは地域の小売店又はウェブサイトのような販売代理店をユーザーに案内し１３８、上に記載されたような割引コードを提供する１２４。
【００３３】
少なくとも一つの市販の銘柄が、その化粧用下地の少なくとも一つとマッチしない場合、結果は空の集合であり、注文は、ユーザーの肌の色合いにマッチする、カスタマイズされた化粧品の開発のための美容製造所へ送信される１４０。画像及びカラーマッチングデータがその注文と共に送信される１４０。さらなる実施形態では、マッチした化粧用下地が、ユーザーが望む形式又は付け方で市販されていない場合、画像及びカラーマッチングデータは、希望する形式のための美容製造所への注文と共に送信される。限定しない例として、商用で利用可能な銘柄は、アプリケータなしで滑らかにすることで付けられるリキッドとしてのみ利用可能である。ユーザーが化粧用下地で隠すことを望む、一対の脚、一対の腕、又はデコルタージュ領域を有するユーザーのために特に、ユーザーは、体にエアブラシで塗って付けるためのエアゾールフォーム、エアゾールリキッド、又はアプリケータパッケージを望む。アプリは、希望の形式を指定して、その注文を送信する。一旦入手が開始されれば、システムはステップを終了する１０４。
【００３４】
図３は、画像を解析し、キャプチャするプロセスについてより詳細に説明して、システムのさらなる実施形態のためのフローチャートを例示する。ユーザーはシステムを開始し１０２、アプリは、上に説明したように、照明、衣服及び背景を準備する方法をユーザーに指示する１１２。
【００３５】
アプリは、ユーザーが画像をキャプチャするセッションのために準備した、照明を備える意図された背景をキャプチャするようにユーザーに指示する。アプリは、解析のための背景をキャプチャする２１４。アプリは、光量の十分さ、反射性及び中立性に関して、背景を解析する２１６。背景が条件を満たさない場合、ユーザーは、照明、衣類及び背景を準備する方法についてさらに指示される１１２。背景が条件を満たす場合、ユーザーは、画像のキャプチャを開始することを指示される。
【００３６】
アプリは、カラーマッチングプログラムによってキャプチャされた肌の色合いを解析し、上に説明したように、画像内の変化があるかどうかを判定する。領域間の数値の差がしきい値を超える場合１３０、アプリは、アプリが肌の色合いを、商用の又はカスタマイズされた製品にマッチさせるために十分なデータを有するために、特定の方法で追加の画像をキャプチャするようにユーザーに指示する１３１。
【００３７】
一般に、ユーザーに肌の欠点がないので、ユーザーが上に説明されたような画像の変化を有していなければ、領域間の数値の差はしきい値を超えず１３０、アプリは、マッチングのためのキャプチャされた画像からの十分なデータがあるかどうかを引き続き判定する１３７。
【００３８】
変化がしきい値を超える場合、ユーザーは、指示に従って画像をキャプチャし続け、解析のための追加の画像をキャプチャする１３２。アプリは、商用、又はカスタマイズされた化粧用下地とマッチングするために十分なデータがあるかどうか判定する１３７ために、追加の画像がキャプチャされた後、データを解析する。
【００３９】
図４は、画像をキャプチャすることをユーザーに指示するフローチャートを例示し、画像を解析しキャプチャする処理をより詳細に説明する。アプリは、画像をキャプチャするセッションのために、色が中立な背景、好ましくは自然な照明を伴った、反射しないマットな白をユーザーに指示する１１３。
【００４０】
限定しない例として、システムは、規定されたルーメンの合計を有する複数の白熱電球を提供し、白い反射しない面の前にユーザーを配置することを、ユーザーに指示する。さらなる実施形態では、モバイル装置は、カメラに関連付けられた内部の照度計を有し、この照度計は利用可能な光を測定し、ユーザーに電球を足すか、減らすか、位置を変えるように指示する。
【００４１】
上に説明されたように、アプリが背景を解析できるように、アプリはユーザーに背景をキャプチャすることを指示し、ユーザーが背景及び照明を適切に設定したことを決定する２１４。背景及び照明を解析するアプリは、利用可能な照度の検針値を含めて、条件を満たしているかどうかを判定する２１６。背景が条件を満たしていない場合、アプリは、条件を満たす画像がキャプチャできるように、背景及び照明を修正する方法をユーザーにさらに指示する１１３。
【００４２】
背景が条件を満たす場合、アプリは、解析及びマッチングのための画像をキャプチャするために準備することをユーザーにさらに指示する。アプリは、白い布地を着ること、白い衣類、又はタオル、シーツもしくは他の同様の反射しない布のような白い布を体にかけることのいずれかをユーザーに指示する。ユーザーがマッチングに興味を持っている肌の領域に隣接していずれかの色の衣類を着用することは、画像のキャプチャ処理を妨げるであろう。衣類からの色は肌の上に反射し、その色合いを変化させる。これは当業者によく知られていて、多くが肌の色合いを強調するための衣類の色を選ぶが、画像キャプチャ処理中には、ユーザーが、色のある衣類又は掛け布を着用しないことが重要である。システムは、適切な衣装を選択することをユーザーに指示する。自然なスキンオイルと同様に、保湿剤、事前に付けられる下地を含むすべての化粧品が、肌が比較的、マットな仕上がりであり、画像がキャプチャされる時に照明を反射しないように、システムは、画像キャプチャの前に肌を洗浄することをユーザーにさらに指示する２１８。
【００４３】
ユーザーがどの領域に化粧用下地を使用するつもりであるかに応じて、アプリは、キャプチャするための肌の領域をユーザーにさらに指示する。限定しない例として、ユーザーが、欠点のある胸部の領域を有している場合、その胸部の欠点のカバーを望んでいることを、ユーザーは上に説明したようなプロファイルの一部として入力する。アプリは、画像キャプチャのために、その欠点の領域を覆うようにユーザーにさらに指示する２１８。
【００４４】
ユーザーが指示に従い、アプリに対して準備ができたと云う応答を入力する時、アプリは、ユーザーがカバーしたい領域の画像をキャプチャする１１４。システムは、画像内の変化に関して、画像を解析する１２９。上に説明されたように、変化のしきい値を超えていない場合１３０、アプリは、指示及び画像のキャプチャを終了する１０４。
【００４５】
変化のしきい値を超えている場合１３０、アプリは、欠点のある領域に隣接する肌の領域、好ましくは、変化がほとんど又は全くない均一な肌の色合いを有し、日光又は薬品によって傷つけられておらず、また同一の又は異なる欠点を有していない肌の領域を覆うことをユーザーに指示する。限定しない例として、ユーザーは、欠点のない腹部の領域を有し、胸部の領域に欠点を有している。アプリは、体の領域のベースの色合いを規定するために、画像キャプチャのために腹部を準備するようにユーザーに指示する１３３。アプリは、そのベース領域の画像をキャプチャする１３５。アプリは、指示及び画像キャプチャのステップを終了する１０４。
【００４６】
図５は、マッチする化粧用下地を入手するための処理をより詳細に説明して、システムのフローチャートを例示し、さらに、地域の小売店、ウェブサイト及び美容製造所への注文及び参照（ｒｅｆｅｒｒａｌ）を追跡するための方法を例示する。一実施形態では、システムは、モバイル装置上に自由にアプリをダウンロードさせられるオーナーを有し、オーナーは注文及び参照を追跡して、その参照に基づいて、ブランド、地域の小売店、ウェブサイト、及び美容製造所からの手数料を受け取る。
【００４７】
ユーザーはアプリを開始し、アプリは、先に詳述されたステップのように、ユーザープロファイルとキャプチャされた画像とを受信し、格納し、解析する１５０。アプリは、少なくとも一つの市販の銘柄のマッチを求めて、インターネットを介してアクセスされるサーバー上のデータベースを検索する。少なくとも一つのマッチが見つかった場合、システムは、例えば、地域の販売店やウェブサイトの小売店のような販売代理店を介して、その銘柄を入手するようにユーザーを案内し、ユーザーに割引コード又はクーポンを与えて、これにより参照を作成する。少なくとも一つの化粧用下地へのマッチがない場合、システムは、肌の色合いのマッチングデータと共に、受注生産の調合のための美容製造所に注文を送信し１６０、これにより参照を作成する。システムは、このシステムを介して為された参照及び注文を算定するために、販売代理店で履行されたクーポン又は割引コードや、美容製造所に送られた注文をデータベースに格納して、追跡する１６０。システムは、参照及び注文に基づいて、販売代理店から選択的に手数料を徴収し、参照及び注文を追跡するステップを終了する１０４。
【００４８】
図６は、インターネット４０を介してサーバー５０に接続するモバイル装置２０を有する化粧用下地マッチングシステムのブロック図である。モバイル装置２０は、オペレーティングシステム２２と、制限された量のデータを格納するためのメモリ機能２４と、キャプチャされた画像の数値の色の値を算出するための画像解析アプリ２６と、表示のための画面２８を有するモバイル装置上に、指示及びキャプチャされた画像を表示する画像表示アプリと、写真の画像を撮影するための画像キャプチャアプリと、インターネットを介してデータに接続し、送信する通信アプリ３６と、任意で、命令を聞こえるように言い表す音声合成装置を有する発話インターフェース３８と、任意で、システムに自動的にユーザーの位置を入力するための全地球測位システム（ＧＰＳ）３２とを有する。本発明の原理に従う限り、モバイル装置が、スマートフォン、タブレットコンピューター、及び現在利用可能である他のモバイル装置を含むことは、当業者によって理解される。モバイル装置が本開示の一部でない他の機能を行う追加のモバイルアプリを有することは、当業者によってさらに理解される。
【００４９】
サーバー５０は、オペレーティングシステム５２と、少なくとも一つの化粧用下地の市販の銘柄、少なくとも１人のユーザー、及び少なくとも一つの美容製造所に関するデータを含んでいるデータベース５６とを有する。サーバーは、データベース管理システム（ＤＢＭＳ）５４と、インターネット４０を介してデータに接続し、転送するための通信ソフトウェア５８とを有する。サーバーが本開示の一部でない他の機能を行う追加のソフトウェアを有することは、当業者によってさらに理解される。
【００５０】
図７は化粧用下地マッチングシステムの概略図である。ここでｉＰｈｏｎｅ（登録商標）（ｉＰｈｏｎｅ（登録商標）はアップル社、クパチーノ、ＣＡの登録商標である）として描かれるモバイル装置２０は、ユーザー７０の画像をキャプチャし、このユーザーは、条件を満たす照明７２を伴う、条件を満たす背景７４の前に配置されている。モバイル装置上のアプリは、例えば、限定されないが移動体通信６６、衛星通信６２又は無線通信６４を介して、インターネット４０にキャプチャされた画像、データ及び解析を送信する。
【００５１】
その画像、データ及び解析は、データベースを有するサーバー５０に伝達され、サーバーはさらにモバイル装置２０に、市販の化粧用下地のいずれかのマッチする銘柄、その銘柄を販売する最寄りの販売店の位置、その銘柄を販売するか、代わりに美容製造所（図示せず）に注文を送信するウェブサイトを伝達する。サーバー５０は、例えば、限定されないが移動体通信６６、衛星通信６２又は無線通信６４を用いて、インターネット４０を介して、モバイル装置に送信する。
【００５２】
図面内のフローチャート及びブロック図は、本開示の様々な実施形態に従うシステム、方法及びコンピュータ・プログラム・プロダクトの可能な実装のアーキテクチャー、機能及び動作を例示する。この点では、フローチャート又はブロック図内の各ブロックは、特定の論理的な機能を実装するための一つ以上の実行可能な命令を含む、モジュール、セグメント又はコードの一部分を表し得る。いくつかの代替の実装では、ブロック内で言及された機能が、図面内で言及された順序から外れて起き得ることにも注意すべきである。例えば、連続して示された二つのブロックが、実際には、実質的に同時に実行されるかもしれず、あるいは、含まれていた機能によっては、ブロックが時には逆の順序で実行されるかもしれない。さらに、ブロック図及び／又はフローチャートの実例の各ブロック、並びにブロック図及び／又はフローチャートの実例内のブロックの組み合わせは、特定の機能及び動作を実行する特定用途向けのハードウェアベースのシステム、あるいは特定用途向けのハードウェアとコンピュータ命令との組み合わせで実装できることにも注意すべきである。
【００５３】
ここに描かれたフロー図は単に一例である。本開示の精神から外れずに、そこに記述されたこの図又はステップ（あるいは動作）に対する多くの変形があり得る。例えば、ステップは異なる順序で行なわれ得、あるいは、ステップが加えられるか、削除されるか、修正され得る。これらの変形はすべて主張された本開示の一部と見なされる。
【００５４】
本開示のための好ましい実施形態が記述されたが、現在及び将来の両方の当業者が、後続する特許請求の範囲内にある、様々な改良及び拡張をなし得ると理解されるだろう。この特許請求の範囲は、最初に記述された本開示の適切な保護を維持するために解釈されるべきである。
【００５５】
「第１」、「第２」、「第３」のような、順序を示す用語は、ここでは様々な要素を記述するために使用されるが、これらの要素がこれらの用語によって限定されるべきでないことがさらに理解される。これらの用語は、単に、一つの要素を別の要素と区別するために使用される。したがって、以下で議論される「第１の要素」は、ここで教示されたことから外れることなく、第２の要素と名付けることができる。
【００５６】
結論として、ここに化粧用下地マッチングシステムが示される。本開示は、描かれた図面内、及び記載された明細書の全体にわたる例によって例示される。発明の概念に従う限り、多数の変形が可能であることが理解されるべきである。そのような変形は本開示の一部であるものとして意図される。
【図１】
2017511929.tif 000003
【図２】
2017511929.tif 000004
【図３】
2017511929.tif 000005
【図４】
2017511929.tif 000006
【図５】
2017511929.tif 000007
【図６】
2017511929.tif 000008
【図７】
2017511929.tif 000009
【国際調査報告】
2017511929.tif 000010